(57)【特許請求の範囲】
【請求項１】
平面発光する光源を有する表示部と、
前記表示部に設けられた給電部とを備え、
前記給電部は、外部電源から前記光源へ給電されるように当該外部電源と電気的に接続する外部電源供給部に接続される給電接続部を有し、少なくとも前記表示部との接合箇所が柔軟性を有し、当該給電接続部の向きが前記表示部に対して変更可能であり、かつ、少なくとも９０°に折り曲げ可能となるように前記表示部の外周縁部から前記表示部の外側に突出している
ことを特徴とする誘導灯。
【請求項２】
前記表示部は、表示部側基材を有し、
前記給電部は、前記表示部側基材に設けられている
ことを特徴とする請求項１記載の誘導灯。
【請求項３】
前記外部電源供給部を有し造営面に設けられる本体をさらに備えることを特徴とする請求項１または２記載の誘導灯。
【発明の詳細な説明】
【技術分野】
【０００１】
本発明は、誘導灯に関する。
【背景技術】
【０００２】
従来から、図８に示すような誘導灯５が知られている（例えば特許文献１参照）。図８の誘導灯５は、発光ダイオード（ＬＥＤ）からなる光源５１と、例えば避難口へ誘導するためのピクトグラムが表記された表示板５２とを備えている。さらに、誘導灯５は、光源５１を点灯制御する制御ブロック５３と、蓄電池５４と、制御ブロック５３および蓄電池５４が収納された誘導灯本体５５とを備えている。光源５１は、誘導灯本体５５の前面上部を覆う位置に取り付けられ、表示板５２は、誘導灯本体５５の前面下部を覆う位置に取り付けられている。この誘導灯５は、光源５１からの光を表示板５２へ導光することによって、表示板５２を明るくする。
【０００３】
また、図８の天井直付型の誘導灯５以外にも、図９に示すような天井埋込型の誘導灯５が従来から知られている。図９の誘導灯５は、光源５１と制御ブロック５３と蓄電池５４とが収納された誘導灯本体５５が天井４１に埋め込まれており、表示板５２だけが天井４１から下方に突出して露出している。
【０００４】
なお、図８，９の誘導灯５以外にも、蛍光灯または冷陰極ランプを光源とした誘導灯が従来から知られている。
【先行技術文献】
【特許文献】
【０００５】
【特許文献１】特開２０１１−２４９０５２号公報
【発明の概要】
【発明が解決しようとする課題】
【０００６】
しかしながら、従来の誘導灯５は、光源５１から表示板５２に光を導光しなければならないため、施工状態によって専用の表示板５２を必要とし、さらに、形態も異なっている。例えば図８の誘導灯５と図９の誘導灯５とにおいて表示板５２を兼用することはできず、異なる表示板５２が必要である。
【０００７】
本発明は上記の点に鑑みて為された発明であり、本発明の目的は、さまざまな施工状態に対応することができる誘導灯を提供することにある。
【課題を解決するための手段】
【０００８】
本発明の誘導灯は、平面発光する光源を有する表示部と、前記表示部に設けられた給電部とを備え、前記給電部は、外部電源から前記光源へ給電されるように当該外部電源と電気的に接続する外部電源供給部に接続される給電接続部を有し、少なくとも前記表示部との接合箇所が柔軟性を有し、当該給電接続部の向きが前記表示部に対して変更可能であり、かつ、少なくとも９０°に折り曲げ可能となるように前記表示部の外周縁部から前記表示部の外側に突出していることを特徴とする。
【０００９】
この誘導灯において、前記表示部は、表示部側基材を有し、前記給電部は、前記表示部側基材に設けられていることが好ましい。
【００１０】
本発明の誘導灯は、前記外部電源供給部を有し造営面に設けられる本体をさらに備えることを特徴とする。
【発明の効果】
【００１１】
本発明では、給電接続部の向きが可変自在であることによって、さまざまな施工状態に対応することができる。
【図面の簡単な説明】
【００１２】
【図１】実施形態に係るパネルの構成を示し、（ａ）は正面側の斜視図、（ｂ）は背面側の斜視図である。
【図２】同上に係る表示装置の要部を示す拡大図である。
【図３】同上に係る表示装置の取付状態を示す概略図である。
【図４】同上に係る表示装置の他の取付状態を示す概略図である。
【図５】同上に係る表示装置の他の取付状態を示す概略図である。
【図６】同上に係る表示装置の他の取付状態を示す概略図である。
【図７】同上に係る表示装置の他の取付状態を示す概略図である。
【図８】従来の誘導灯の一例であって、（ａ）は外観斜視図、（ｂ）は天井に取り付けられた状態の概略図、（ｃ）は壁に取り付けた場合の概略図である。
【図９】従来の誘導灯の他の例であって、（ａ）は外観斜視図、（ｂ）は天井に取り付けられた状態の概略図である。
【発明を実施するための形態】
【００１３】
本実施形態の表示装置１は、図３に示すように、板状に形成されたパネル２と、パネル２を保持する本体３とを備えている。本実施形態では、一例として、表示装置１が誘導灯として用いられる場合について説明するが、表示装置１は、誘導灯に限らず、例えば自照式看板などであってもよい。
【００１４】
パネル２は、図１に示すように、矩形板状の表示部２１と、表示部２１へ給電するために表示部２１の外周縁部の一辺（図１の上辺）から突出して設けられた給電部２２とを備えている。
【００１５】
表示部２１は、図示しないが、光源と表示部側基材とを備えている。光源は、例えば有機ＥＬ（ElectroLuminescence）などのエレクトロルミネッセンスであり、複数の層から形成されており、本体３の制御ブロック（図示せず）から給電されると平面発光する。表示部側基材には、光源の発光部を形成する複数の層が設けられており、光源を通電させて発光させるように配線されている。表示部２１は、例えば避難口へ誘導するためのピクトグラムを表示する。ただし、表示部２１の表示内容は、上記ピクトグラムに限らず、建物の出入口の表示や案内表示などであってもよい。
【００１６】
給電部２２は、本体３に接続される給電接続部２２２と、給電接続部２２２が実装された給電部側基材２２１とを備えており、表示部２１の外周縁部に取り付けられている。給電部２２は、例えば表示部２１の表示部側基材（図示せず）に接合されることによって、表示部側基材に設けられている。
【００１７】
給電接続部２２２は、複数（図示例では４つ）の導電端子２２３，２２３，……で構成されており、外部電源（図示せず）からパネル２の光源（図示せず）へ給電されるように、本体３の外部電源供給部３２（図２参照）を介して上記外部電源と電気的に接続する。
【００１８】
給電部側基材２２１は、例えば柔軟性のあるフレキシブル基材や、柔軟性のある部分と硬質の部分とからなる基材などであり、少なくとも表示部２１との接合箇所が柔軟性を有して変形可能である。この給電部側基材２２１が折り曲げられることによって、給電部側基材２２１に実装された給電接続部２２２は、表示部２１に対して向きが可変自在となる。給電部側基材２２１が折り曲げられない状態では、給電接続部２２２の向きは表示部２１の上下方向となるが、給電部側基材２２１が例えば９０°折り曲げられた状態では、給電接続部２２２の向きは表示部２１の前後方向となる。
【００１９】
本体３は、図３に示すように、直方体状の筐体３１と、外部電源供給部３２とを備えている。また、本体３は、図示しないが、外部電源として制御ブロックおよび蓄電池をさらに備えている。制御ブロックおよび蓄電池は、筐体３１内に収納されている。商用電源が通電している場合、制御ブロックは、パネル２の光源（図示せず）を点灯させるために、商用電源からの電力を変換して上記光源へ供給する。一方、商用電源が停電した場合、パネル２の光源は、蓄電池から給電されて点灯する。
【００２０】
筐体３１は、例えば合成樹脂の成型品や金属製の筐体であり、例えば天井４１や壁４２（図７参照）などの造営面に取り付けられる。図２に示すように、筐体３１は、下面および側面にノックアウト部３１１が設けられている。施工者は、筐体３１に外部電源供給部３２を取り付ける際に、ノックアウト部３１１を必要に応じて打ち抜いて筐体３１に開口を形成し、この開口の位置に外部電源供給部３２を取り付ける。これにより、筐体３１に不要な開口が形成されるのを防ぐことができる。
【００２１】
外部電源供給部３２は、パネル２の給電接続部２２２（図１参照）と外部電源（図示せず）とが電気的に接続されるように給電接続部２２２が接続される部品である。この外部電源供給部３２は、パネル２の給電部２２が接続される接続部３２１を備えており、この接続部３２１の差込口が外部に露出するように筐体３１に設けられている。本実施形態では、外部電源供給部３２は、ねじ止めによって筐体３１に固定されている。接続部３２１は、例えば導電材料によって弾性（ばね性）を有するように形成された端子であり、給電部２２が差込口から差し込まれた際に給電部２２を弾性によって挟持して保持する。
【００２２】
次に、本実施形態に係る表示装置１の取付状態について図３〜７を用いて説明する。まず、図３のように表示装置１が天井４１に直付けされる場合、本体３は、筐体３１の下面に外部電源供給部３２が設けられており、この外部電源供給部３２の接続部３２１（図２参照）に給電部２２（図２参照）が下方から差し込まれて接続されている。この場合、給電部２２の給電部側基材２２１が折り曲げられていない状態で給電部２２が外部電源供給部３２に接続されている。
【００２３】
図４の場合、本体３は、筐体３１の下面に複数（図示例では３つ）の外部電源供給部３２，３２，３２が設けられており、各外部電源供給部３２の接続部３２１に給電部２２が下方から差し込まれて接続されている。
【００２４】
図５の場合、本体３は、筐体３１の側面に外部電源供給部３２が設けられており、この外部電源供給部３２の接続部３２１に給電部２２が側方から差し込まれて接続されている。この場合、給電部２２の給電部側基材２２１が９０°折り曲げられた状態で給電部２２が外部電源供給部３２に接続されている。
【００２５】
図６の場合、本体３は、筐体３１の両側面に外部電源供給部３２，３２が設けられており、各外部電源供給部３２の接続部３２１に給電部２２が側方から差し込まれて接続されている。この場合も、図５の場合と同様に、給電部２２の給電部側基材２２１が９０°折り曲げられた状態で給電部２２が外部電源供給部３２に接続されている。
【００２６】
図７は、表示装置１が壁４２に直付けされる場合を示す。図７の場合、本体３は、筐体３１の側面に外部電源供給部３２が設けられており、この外部電源供給部３２の接続部３２１に給電部２２が側方から差し込まれて接続されている。この場合も、図５の場合と同様に、給電部２２の給電部側基材２２１が９０°折り曲げられた状態で給電部２２が外部電源供給部３２に接続されている。
【００２７】
なお、図５〜７のように給電部２２の給電部側基材２２１が折り曲げられた場合、表示部２１を本体３の筐体３１の表面に固定することが好ましい。例えば両面粘着テープなどによって表示部２１を筐体３１の表面に固定することができるが、両面粘着テープ以外の他の方法によって表示部２１を筐体３１の表面に固定してもよい。
【００２８】
以上説明した本実施形態によれば、パネル２の光源として有機ＥＬを用いることによって、表示部２１の薄型化を図ることができる。さらに、本実施形態のパネル２では、給電部２２の給電接続部２２２の向きが可変自在であることによって、さまざまな施工状態に対応することができる。すなわち、同一のパネル２で、図３〜７に示すような複数の施工状態に対応することができる。
【００２９】
なお、給電部側基材２２１は、ヒンジ構造によって、表示部２１に取り付けられていてもよい。この場合、給電部側基材２２１がフレキシブル基材でなくリジッド基材であっても、給電接続部２２２（給電部２２）の向きを表示部２１に対して可変自在にすることができる。
【００３０】
また、パネル２の光源は、有機ＥＬに限らず、例えば平面状に設けられた複数のＬＥＤのような面光源であってもよい。
【符号の説明】
【００３１】
１  表示装置
２  パネル
２１  表示部
２２  給電部
２２１  給電部側基材
２２２  給電接続部
３  本体
３２  外部電源供給部
【図１】
0005975374.tif 000002
【図２】
0005975374.tif 000003
【図３】
0005975374.tif 000004
【図４】
0005975374.tif 000005
【図５】
0005975374.tif 000006
【図６】
0005975374.tif 000007
【図７】
0005975374.tif 000008
【図８】
0005975374.tif 000009
【図９】
0005975374.tif 000010